【手続補正書】
【提出日】平成16年5月14日(2004.5.14)
【手続補正１】
【補正対象書類名】明細書
【補正対象項目名】特許請求の範囲
【補正方法】変更
【補正の内容】
【特許請求の範囲】
【請求項１】
電子写真感光体に静電潜像を形成する潜像形成手段と、静電潜像を現像しトナー像を形成する現像手段とを有し、形成された感光体上のトナー像を中間転写体へ１次転写し、さらに画像支持体へ２次転写する転写手段を有する画像形成装置において、ベルト状の中間転写体を裏側から懸架するためのバックアップ部材とこれに対向して配置された２次転写部材と、該両部材間に電界を発生させる為のバイアス印加手段を具備する画像形成装置において、該２次転写部材に付着した残留トナーを静電的に中間転写体に戻し、該転写部材とトナーを機械的にクリーニングする部材の間に電極部材を設け、二次転写部材の幅方向で画像支持体の通紙幅より外側で、現像手段の現像スリーブ幅より内側の位置に２次転写部材のトナー付着量を検知するための検知手段を設けたことを特徴とする画像形成装置。
【請求項２】
バックアップ部材とこれに対向して配置された２次転写部材との間に電界を発生させる為に、バックアップ部材にバイアス印加手段を接続し、且つ２次転写部材側を接地したことを特徴とする請求項１記載の画像形成装置。
【請求項３】
前記２次転写部材が少なくとも半導電層を有するローラであることを特徴とする請求項１記載の画像形成装置。
【請求項４】
前記２次転写部材のトナー付着量と画像支持体の通紙幅の情報を基に２次転写部材のクリーニング動作の制御を行うことを特徴とする請求項１記載の画像形成装置。
【請求項５】
請求項１記載の画像形成装置を制御する制御方法において、画像形成動作中に通紙される画像支持体の幅がそれまで通紙されていた画像支持体の幅から切り替わった時、切り替わった後の画像支持体幅がそれ以前に通紙されていた画像支持体の幅より狭い場合は、２次転写部材のクリーニング動作を行わずに画像形成動作を続行し、切り替わった後の通紙幅がそれまでの通紙幅より広く、且つ２次転写部材のトナー付着量検知手段が規定以上のトナー付着を検知した時には画像形成動作を中断し、２次転写部材のクリーニングを行った後に、画像形成動作を再スタートさせ、規定値に満たない場合は２次転写部材のクリーニングを行わず画像形成動作を続行することを特徴とする制御方法。
【手続補正２】
【補正対象書類名】明細書
【補正対象項目名】００１６
【補正方法】変更
【補正の内容】
【００１６】
本発明の目的は、小粒径トナーや球形度の高いトナーを使用し、転写部材のクリーニングを静電的に行っても、確実にクリーニング出来る、トナー飛散や画像メモリ等の問題を起こさない画像形成装置およびその制御方法を提供することにある。
【手続補正３】
【補正対象書類名】明細書
【補正対象項目名】００１７
【補正方法】変更
【補正の内容】
【００１７】
本発明の目的は、さらにトナーフィルミング等による画像劣化や紙裏汚れの問題を起こさず、転写部材のクリーニングが必要なタイミングを的確に判断し、画像形成の生産性低下を極力抑えた画像形成装置およびその制御方法を提供することにある。
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】削除
【補正の内容】
【手続補正１３】
【補正対象書類名】明細書
【補正対象項目名】００２８
【補正方法】変更
【補正の内容】
【００２８】
〔１〕  電子写真感光体に静電潜像を形成する潜像形成手段と、静電潜像を現像しトナー像を形成する現像手段とを有し、形成された感光体上のトナー像を中間転写体へ１次転写し、さらに画像支持体へ２次転写する転写手段を有する画像形成装置において、ベルト状の中間転写体を裏側から懸架するためのバックアップ部材とこれに対向して配置された２次転写部材と、該両部材間に電界を発生させる為のバイアス印加手段を具備する画像形成装置において、該２次転写部材に付着した残留トナーを静電的に中間転写体に戻し、該転写部材とトナーを機械的にクリーニングする部材の間に電極部材を設け、二次転写部材の幅方向で画像支持体の通紙幅より外側で、現像手段の現像スリーブ幅より内側の位置に２次転写部材のトナー付着量を検知するための検知手段を設けたことを特徴とする画像形成装置。
【手続補正１４】
【補正対象書類名】明細書
【補正対象項目名】００２９
【補正方法】変更
【補正の内容】
【００２９】
〔２〕  バックアップ部材とこれに対向して配置された２次転写部材との間に電界を発生させる為に、バックアップ部材にバイアス印加手段を接続し、且つ２次転写部材側を接地したことを特徴とする〔１〕記載の画像形成装置。
【手続補正１５】
【補正対象書類名】明細書
【補正対象項目名】００３０
【補正方法】変更
【補正の内容】
【００３０】
〔３〕  前記２次転写部材が少なくとも半導電層を有するローラであることを特徴とする〔１〕記載の画像形成装置。
【手続補正１６】
【補正対象書類名】明細書
【補正対象項目名】００３１
【補正方法】変更
【補正の内容】
【００３１】
〔４〕  前記２次転写部材のトナー付着量と画像支持体の通紙幅の情報を基に２次転写部材のクリーニング動作の制御を行うことを特徴とする〔１〕記載の画像形成装置。
【手続補正１７】
【補正対象書類名】明細書
【補正対象項目名】００３２
【補正方法】変更
【補正の内容】
【００３２】
〔５〕  〔１〕記載の画像形成装置を制御する制御方法において、画像形成動作中に通紙される画像支持体の幅がそれまで通紙されていた画像支持体の幅から切り替わった時、切り替わった後の画像支持体幅がそれ以前に通紙されていた画像支持体の幅より狭い場合は、２次転写部材のクリーニング動作を行わずに画像形成動作を続行し、切り替わった後の通紙幅がそれまでの通紙幅より広く、且つ２次転写部材のトナー付着量検知手段が規定以上のトナー付着を検知した時には画像形成動作を中断し、２次転写部材のクリーニングを行った後に、画像形成動作を再スタートさせ、規定値に満たない場合は２次転写部材のクリーニングを行わず画像形成動作を続行することを特徴とする制御方法。
【手続補正１８】
【補正対象書類名】明細書
【補正対象項目名】００３３
【補正方法】削除
【補正の内容】
【手続補正１９】
【補正対象書類名】明細書
【補正対象項目名】００３７
【補正方法】削除
【補正の内容】
【手続補正２０】
【補正対象書類名】明細書
【補正対象項目名】００３８
【補正方法】変更
【補正の内容】
【００３８】
本発明について述べれば、２次転写部材のトナー汚れを静電的にクリーニングすることで、フイルミング等の問題がなく、構成も簡単に出来る。
【手続補正２１】
【補正対象書類名】明細書
【補正対象項目名】００４１
【補正方法】変更
【補正の内容】
【００４１】
【発明の実施の形態】
先ず、発明の構成及びそこで用いられる構成要素等の説明を行う。
【手続補正２２】
【補正対象書類名】明細書
【補正対象項目名】００４２
【補正方法】削除
【補正の内容】
【手続補正２３】
【補正対象書類名】明細書
【補正対象項目名】００４３
【補正方法】削除
【補正の内容】
【手続補正２４】
【補正対象書類名】明細書
【補正対象項目名】００４４
【補正方法】削除
【補正の内容】
【手続補正２５】
【補正対象書類名】明細書
【補正対象項目名】００４５
【補正方法】削除
【補正の内容】
【手続補正２６】
【補正対象書類名】明細書
【補正対象項目名】００４６
【補正方法】削除
【補正の内容】
【手続補正２７】
【補正対象書類名】明細書
【補正対象項目名】００４７
【補正方法】削除
【補正の内容】
【手続補正２８】
【補正対象書類名】明細書
【補正対象項目名】００４８
【補正方法】削除
【補正の内容】
【手続補正２９】
【補正対象書類名】明細書
【補正対象項目名】００４９
【補正方法】削除
【補正の内容】
【手続補正３０】
【補正対象書類名】明細書
【補正対象項目名】００５０
【補正方法】削除
【補正の内容】
【手続補正３１】
【補正対象書類名】明細書
【補正対象項目名】００５１
【補正方法】変更
【補正の内容】
【００５１】
図１は、２次転写部材のトナー付着状態を検知するセンサーを有する画像形成装置の構成断面図である。
【手続補正３２】
【補正対象書類名】明細書
【補正対象項目名】００５３
【補正方法】変更
【補正の内容】
【００５３】
図２は、センサーの設置方法を説明する為に、図１に示す画像形成装置の画像形成幅方向の長さと位置関係を示したものである。
【手続補正３３】
【補正対象書類名】明細書
【補正対象項目名】００５５
【補正方法】変更
【補正の内容】
【００５５】
尚、２次転写部材のクリーニングを行う場合には、２次転写部材に付着したトナーをバイアスを印加して中間転写体１１側に引き戻さなければならないが、バイアス電圧を実際に印加するのは、２次転写部材１２でも、バックアップ部材１５の何れでもよい。図３には２次転写部材１２にバイアス印加用の高圧電源１７を取り付けた場合（図３（ａ））とバックアップ部材１５に取り付けた場合（図３（ｂ））を図示している。
【手続補正３４】
【補正対象書類名】明細書
【補正対象項目名】００７７
【補正方法】変更
【補正の内容】
【００７７】
【発明の効果】
本発明により、小粒径トナーや球形度の高いトナーを使用し、転写部材のクリーニングを静電的に行っても、確実にクリーニング出来る、トナー飛散や画像メモリ等の問題を起こさない画像形成装置およびその制御方法を提供することができる。
【手続補正３５】
【補正対象書類名】明細書
【補正対象項目名】００７８
【補正方法】変更
【補正の内容】
【００７８】
又、本発明により、さらにトナーフィルミング等による画像劣化や紙裏汚れの問題を起こさず、転写部材のクリーニングが必要なタイミングを的確に判断し、画像形成の生産性低下を極力抑えた画像形成装置およびその制御方法を提供することが出来る。
【手続補正３６】
【補正対象書類名】明細書
【補正対象項目名】図面の簡単な説明
【補正方法】変更
【補正の内容】
【図面の簡単な説明】
【図１】
本発明の実施態様を説明する為の構成断面図。
【図２】
センサーの設置方法を説明するための図。
【図３】
バイアス印加用の高圧電源を取り付けた場合の構成断面図。
【符号の説明】
１  感光体（電子写真感光体）
２  転写部材
３、１３  電極部材
４、１４  機械的にクリーニングする部材
６  画像支持体
１１  中間転写体
１２  ２次転写部材
１５  バックアップ部材
１７  バイアス印加用の高圧電源
【手続補正３７】
【補正対象書類名】図面
【補正対象項目名】全図
【補正方法】変更
【補正の内容】
【図１】
2003131536.tif 000001
【図２】
2003131536.tif 000002
【図３】
2003131536.tif 000003